(57)【要約】【課題】カメラモジュール製作時の接着剤のはみ出しに起因する撮像エリア内への侵入を防ぎ、製造時の不良を低減できるカメラモジュール等を提供する。【解決手段】カメラモジュール１は、入射光を電気信号に変換して出力するセンサ５と、センサ５への光を入射光として透過するガラスカバー７と、センサ５及びガラスカバー７を保持し、センサ５が出力する電気信号が入力されるフレキシブル基板６と、入射光をセンサ５に集光するレンズユニット２と、レンズユニット２を保持し、側壁部３ｅの下端面が接着剤１１によりフレキシブル基板６に接着された台座３とを含み、台座３の側壁部３ｅに沿って接着剤１１を退避させる凹部２１が形成されている。【選択図】図３
2008139593.tif 000002
【特許請求の範囲】
【請求項１】
入射光を電気信号に変換して出力する撮像素子と、
前記撮像素子への光を前記入射光として透過するカバー部材と、
前記撮像素子及び前記カバー部材を保持し、当該撮像素子が出力する前記電気信号が入力される基板と、
前記入射光を前記撮像素子に集光させるレンズと、
前記レンズを保持し、側壁部の下端面が接着剤により前記基板に接着された台座マウントと
を含み、
前記台座マウントの前記側壁部は、前記接着剤を退避させる退避手段を備えていることを特徴とするカメラモジュール。
【請求項２】
前記退避手段は、前記台座マウントにおいて前記カバー部材が対向する面に前記側壁部に沿って形成された凹部であることを特徴とする請求項１に記載のカメラモジュール。
【請求項３】
前記凹部の角の領域にはＣ面が設けられ、当該角の領域以外の領域よりも溝幅が広く形成されていることを特徴とする請求項２に記載のカメラモジュール。
【請求項４】
前記退避手段は、前記側壁部の前記下端面の面積を減じるように当該側壁部の角部における内面の側に形成された窪みであることを特徴とする請求項１に記載のカメラモジュール。
【請求項５】
前記退避手段は、前記側壁部の前記下端面の一部が肉薄に形成された肉薄領域であることを特徴とする請求項１に記載のカメラモジュール。
【請求項６】
入射光を電気信号に変換して出力する撮像素子と、
前記撮像素子への光を前記入射光として透過するカバー部材と、
前記撮像素子及び前記カバー部材を保持し、当該撮像素子が出力する前記電気信号が入力される基板と、
前記入射光を前記撮像素子に集光させるレンズと、
前記レンズを保持し、側壁部が前記基板に取り付けられた台座マウントと
を含み、
前記台座マウントにおける前記カバー部材に当接する面は、前記側壁部から離間して形成されていることを特徴とするカメラモジュール。
【請求項７】
赤外波長領域の光を遮断し、且つ、通過光量を制限する中間環を更に含み、
前記レンズを複数含み、
前記中間環は、前記複数のレンズの間に保持されていることを特徴とする請求項６に記載のカメラモジュール。
【請求項８】
入射光を電気信号に変換して出力する撮像素子と、
前記撮像素子への光を前記入射光として透過するカバー部材と、
前記撮像素子及び前記カバー部材を保持し、当該撮像素子が出力する前記電気信号が入力される基板と、
前記入射光を前記撮像素子に集光させるレンズと、
前記レンズを保持し、側壁部の下端面が前記基板に取り付けられた台座マウントと
を含み、
前記台座マウントには、前記側壁部に沿って凹部が形成されていることを特徴とするカメラモジュール。
【請求項９】
前記凹部の角の領域にはＣ面が設けられ、当該角の領域以外の領域よりも溝幅が広く形成されていることを特徴とする請求項８に記載のカメラモジュール。
【請求項１０】
前記台座マウントの前記側壁部には、当該側壁部の前記下端面の面積を減じるように当該側壁部の角部における内面の側に窪みが形成されていることを特徴とする請求項８に記載のカメラモジュール。
【請求項１１】
前記台座マウントには、前記カバー部材に当接するボスが更に形成され、
前記ボスは、前記凹部から離間して形成されていることを特徴とする請求項８に記載のカメラモジュール。
【請求項１２】
入射光を電気信号に変換して出力する撮像素子と、
前記撮像素子への光を前記入射光として透過するカバー部材と、
前記撮像素子及び前記カバー部材を保持し、当該撮像素子が出力する前記電気信号が入力される基板と、
前記入射光を前記撮像素子に集光させるレンズと、
前記レンズを保持し、側壁部が前記基板に取り付けられ、当該側壁部に沿って凹部が形成された台座マウントと、
前記基板に接続され、当該基板から出力された前記電気信号を処理する信号処理部と
を含むことを特徴とする撮像装置。
【発明の詳細な説明】
【技術分野】
【０００１】
本発明は、例えば携帯電話機等に搭載されるカメラモジュール及び撮像装置に関し、より詳しくは、小型化に好適なカメラモジュール等に関する。
【背景技術】
【０００２】
近年、携帯電話機等にもカメラシステムが搭載されるようになっている。このようなカメラシステムにおいては、マイクロレンズを用いて被写体画像をイメージセンサに結像させるカメラモジュールが広く使用されている。
携帯電話等が小型化されるに伴って、カメラモジュールのさらなる小型化が要求されている。
【０００３】
小型化を図り、且つ、焦点精度が高いカメラモジュールに関する技術として、特許文献１に該当する技術が従来から知られていた。
特許文献１には、「レンズと、このレンズを支持する鏡筒と、レンズを介して入射された光に基づきセンサ部により撮像し、撮像信号を出力するイメージセンサチップと、窓部を有する配線基板を備えている。ここで、鏡筒は、配線基板の面上に固定されている。そして、イメージセンサチップは、センサ部が配線基板の窓部に位置するように、配線基板の鏡筒が固定された面と反対側の面において固定される。」技術が開示されている。
【０００４】
【特許文献１】特開２００３−５１９７３号公報
【発明の開示】
【発明が解決しようとする課題】
【０００５】
カメラモジュールの小型化には、レンズを保持する鏡筒と撮像素子を収納する台座マウントとをワンパッケージ化して、活用されないスペースを排除することが有効である。接着剤を使用して各部品を固定する場合、小型化のために各部品間に確保された隙間を極力小さくする。従来のカメラモジュールであれば接着剤のはみ出しは隙間に入り込んでいたが、カメラモジュールの小型化に伴って隙間が小さくなってきたので、接着剤のはみ出しが問題となってきた。
ここで、本発明が解決しようとする課題は、例えば、カメラモジュール製作時の接着剤のはみ出しに起因する撮像エリア内への侵入を防ぎ、製造時の不良を低減できるカメラモジュール等を提供することにある。
【課題を解決するための手段】
【０００６】
上記課題を解決するために、本発明にかかるカメラモジュールは、入射光を電気信号に変換して出力する撮像素子と、撮像素子への光を入射光として透過するカバー部材と、撮像素子及びカバー部材を保持し、撮像素子が出力する電気信号が入力される基板と、入射光を撮像素子に集光させるレンズと、レンズを保持し、側壁部の下端面が接着剤により基板に接着された台座マウントとを含み、台座マウントの側壁部は、接着剤を退避させる退避手段を備えていることを特徴とする。
【０００７】
上記カメラモジュールにおいて、退避手段は、台座マウントにおいてカバー部材が対向する面に側壁部に沿って形成された凹部であることを特徴とする。
上記カメラモジュールにおいて、凹部の角の領域にはＣ面が設けられ、角の領域以外の領域よりも溝幅が広く形成されていることを特徴とする。
上記カメラモジュールにおいて、退避手段は、側壁部の下端面の面積を減じるように側壁部の角部における内面の側に形成された窪みであることを特徴とする。
上記カメラモジュールにおいて、退避手段は、側壁部の下端面の一部が肉薄に形成された肉薄領域であることを特徴とする。
【０００８】
上記課題を解決するために、本発明にかかるカメラモジュールは、入射光を電気信号に変換して出力する撮像素子と、撮像素子への光を入射光として透過するカバー部材と、撮像素子及びカバー部材を保持し、撮像素子が出力する電気信号が入力される基板と、入射光を撮像素子に集光させるレンズと、レンズを保持し、側壁部が基板に取り付けられた台座マウントとを含み、台座マウントにおけるカバー部材に当接する面は、側壁部から離間して形成されていることを特徴とする。
【０００９】
上記カメラモジュールにおいて、赤外波長領域の光を遮断し、且つ、通過光量を制限する中間環を更に含み、レンズを複数含み、中間環は、複数のレンズの間に保持されていることを特徴とする。
【００１０】
上記課題を解決するために、本発明にかかるカメラモジュールは、入射光を電気信号に変換して出力する撮像素子と、撮像素子への光を入射光として透過するカバー部材と、撮像素子及びカバー部材を保持し、撮像素子が出力する電気信号が入力される基板と、入射光を撮像素子に集光させるレンズと、レンズを保持し、側壁部の下端面が基板に取り付けられた台座マウントとを含み、台座マウントには、側壁部に沿って凹部が形成されていることを特徴とする。
【００１１】
上記カメラモジュールにおいて、凹部の角の領域にはＣ面が設けられ、角の領域以外の領域よりも溝幅が広く形成されていることを特徴とする。
上記カメラモジュールにおいて、台座マウントの側壁部には、側壁部の下端面の面積を減じるように側壁部の角部における内面の側に窪みが形成されていることを特徴とする。
上記カメラモジュールにおいて、台座マウントには、カバー部材に当接するボスが更に形成され、ボスは、凹部から離間して形成されていることを特徴とする。
【００１２】
上記課題を解決するために、本発明にかかる撮像装置は、入射光を電気信号に変換して出力する撮像素子と、撮像素子への光を入射光として透過するカバー部材と、撮像素子及びカバー部材を保持し、撮像素子が出力する電気信号が入力される基板と、入射光を撮像素子に集光させるレンズと、レンズを保持し、側壁部が基板に取り付けられ、側壁部に沿って凹部が形成された台座マウントと、基板に接続され、基板から出力された電気信号を処理する信号処理部とを含むことを特徴とする。
【発明の効果】
【００１３】
本発明によれば、カメラモジュール製作時の接着剤のはみ出しに起因する撮像エリア内への接着剤の侵入を防ぎ、製造時の不良を低減できるカメラモジュール等を提供できる。
【発明を実施するための最良の形態】
【００１４】
以下、添付図面を参照して、本発明を実施するための最良の形態（実施の形態）について詳細に説明する。
図１は、本実施の形態にかかるカメラモジュール１を示す外観斜視図であり、図２は、本実施の形態にかかるカメラモジュール１の分解斜視図である。
図１及び図２に示すように、カメラモジュール１は、複数枚のレンズを保持し、入射光をセンサ５上で結像するレンズユニット２と、フィルタ４とセンサ５とを収容する側壁部３ｅを有し、且つ、レンズユニット２を保持する台座３とを備えている。また、カメラモジュール１は、外光の特定の周波数成分を除去するフィルタ４と、入射した光を電気信号に変換するセンサ５とを備えている。更に、カメラモジュール１は、フィルタ４とセンサ５との間に配置された方形のガラスカバー７と、台座３を接着し、センサ５から出力される出力信号を外部に伝えるフレキシブル基板（ＦＰＣ：Flexible Printed Circuit）６とを備えている。尚、レンズユニット２を台座３に取り付けてなる部品を鏡筒と呼ぶことがある。
【００１５】
台座３は、レンズユニット２が取り付けられる円筒部３ａと、フィルタ４及びセンサ５を収容保持するための矩形部３ｂとが一体に構成されている。また、台座３は、円筒部３ａの内部空間と矩形部３ｂの内部空間とが連続するように構成されている。また、台座３は、内面から延びて内部空間を狭めるように形成されたフランジ部３ｄ（図３参照）を有する。
台座３の円筒部３ａにおける内周面には雌めじ３ｃが形成され、レンズユニット２の外周面には、この雌めじ３ｃに対応する雄ねじ２ｃが形成されている。そして、後述するように、レンズユニット２は、台座３の円筒部３ａに螺合して取り付けられる。尚、レンズ２ｂ（図３参照）が台座３に直接取り付けられてもよい。
【００１６】
台座３の矩形部３ｂにおける円筒部３ａとは反対側の端面には、側壁部３ｅが形成されている。そして、この矩形部３ｂの側壁部３ｅの下端面がフレキシブル基板６と接着剤１１（図４参照）で固着される。これにより、側壁部３ｅの下端面が接着剤１１によりフレキシブル基板６に接着した状態でフレキシブル基板６と共にセンサ５及びガラスカバー７に対して遮光する。なお、フレキシブル基板６は、柔軟性、屈曲性及び小スペース性を有する回路基板であり、一般的に、ポリエステル（ＰＥＴ）フィルム上に印刷又はエッチング等により回路が形成されてなる。そして、フレキシブル基板６の一端部に台座３が配置され、フレキシブル基板６の他端部にコネクタ６ａが配置されている。このコネクタ６ａは、フレキシブル基板６によってセンサ５と接続されており、図示しない外部機器と電気的に接続する機能を有する。
【００１７】
図３は、本実施の形態にかかるカメラモジュール１の縦断面図である。
図３に示すように、レンズユニット２は、レンズユニット２本体のバレル（ホルダ）２ａと、バレル２ａに保持される２枚のレンズ２ｂとを有する。バレル２ａの端面には開口部２ｄが形成されている。レンズ２ｂは、外光をセンサ５の受光領域（撮像エリア）に集光させるための光学素子である。即ち、レンズ２ｂは、開口部２ｄからの光が結像してセンサ５に入射するように所定の光学系を形成する。レンズ２ｂは、単一のレンズ又は複数枚のレンズ群で構成することができる。本実施の形態では、２枚のレンズ２ｂで構成され、レンズ２ｂの間に中間環２ｅを備えている。この中間環２ｅは、通過光量を制限する絞り機能を有している。また、レンズ押さえ２ｆが２枚のレンズ２ｂを押さえている。レンズユニット２は、台座３の円筒部３ａにねじ込まれ、ねじ作用により結像調整が行われた後に接着剤１１により台座３に固着される。
なお、バレル２ａは、例えば、黒色のポリカーボネート、ポリブチレンテレフタレート等の遮光性のある合成樹脂により構成される。また、レンズ２ｂは、例えば、ポリカーボネートやオレフィン系の材料、シリコン系樹脂等の剛性樹脂やガラスにより構成される。
【００１８】
フィルタ４は、外光の特定の周波数成分を除去するフィルム状の部材であり、本実施の形態では、赤外線除去フィルタ（ＩＲＣＦ：Infrared Cut Filter）を用いている。フィルタ４は、図示しない接着剤によりフランジ部３ｄに取り付けられている。フィルタ４がフランジ部３ｄに取り付けられると、台座３の内部空間が２つに仕切られる。このフィルタ４は、センサ５の近傍に配置されており、これにより、乱反射の影響を抑制している。
センサ５は、ＣＣＤ（Charge Coupled Device）やＣＭＯＳ（Complementary Metal Oxide Semiconductor）等のイメージセンサ（撮像素子）であり、本実施の形態では、ＣＳＰ（Chip Scale Package）構造を有するセンサを用いている。センサ５は、レンズユニット２を介して受光領域に入射した光に応じて電気信号を生成し、出力する。
【００１９】
ガラスカバー７は、フィルタ４とセンサ５との間に配置されている。ガラスカバー７には、センサ５が取り付けられている。更に説明すると、ガラスカバー７の出射面（下面）側には、配線パターンが予め設けられている。そして、この配線パターンの電極とセンサ５とをつなぐように複数の半田バンプ８が位置している。このように、電極の位置に取り付けられた半田バンプ８により、センサ５は、ガラスカバー７に固定されると共に、ガラスカバー７の電極と電気的に接続されている。
ここで、センサ５とガラスカバー７との離間距離は、半田バンプ８の大きさによって決定される。半田バンプ８の大きさを制御することは容易であることから、センサ５とガラスカバー７との位置決めを正確に行うことが可能である。また、複数の半田バンプ８により位置決めすることから、センサ５とガラスカバー７との離間距離が平均化される。
【００２０】
ガラスカバー７の出射面側の電極の別の位置には、半田バンプ９が配置されている。この半田バンプ９により、ガラスカバー７とフレキシブル基板６との間の電気的な接続が確保される。この半田バンプ９は、ガラスカバー７に固定されているセンサ５とフレキシブル基板６とが互いに離間するためのスペーサとしても用いられている。
なお、フレキシブル基板６の裏面の台座３に対応する位置に補強板１０が接着剤で固着されている。補強板１０は、柔軟性を有するフレキシブル基板６の強度を高めるための板状部材であり、台座３の底面形状の外形とほぼ等しい大きさを有している。
【００２１】
図４に図３のＰ部の拡大断面図を示す。
本カメラモジュール１では、台座３は、接着剤１１によってフレキシブル基板６に接着されている。台座３には、ガラスカバー７の搭載面２０（図５参照）に４つのボス１２が形成されている。このボス１２とガラスカバー７とが当接してガラスカバー７と台座３とが焦点方向において正確に位置決めされる。即ち、ボス１２とガラスカバー７とを突き当て、台座３の側壁部３ｅとフレキシブル基板６とを接着剤１１によって接着して、高さ方向の正確な位置決めをしている。このとき、台座３の側壁部３ｅの下端面とフレキシブル基板６の間にはギャップ１５があり、そのギャップ１５を接着剤１１で埋めて接着する。これにより、高さ調節（光軸方向の正確な位置決め）が可能になると共に、センサ５が取り付けられたガラスカバー７は、台座３の側壁部３ｅとフレキシブル基板６とによって覆われる。接着剤１１は、例えば紫外線硬化性や熱硬化性の接着剤である。
【００２２】
ボス１２は底面（ガラスカバー７の搭載面）２０の四辺のそれぞれに設けられ、本実施の形態では合計４つのボス１２が台座３に一体成形されている。ボス１２は、側壁部３ｅから離間して形成されている。尚、ボス１２の数は４つである必要はないが、ガラスカバー７がレンズ光軸に対して垂直な状態で安定するように、３つ以上形成されることが望ましい。フィルタ４の厚み分と、フィルタ４を当該フィルタ４の搭載面１３（図５参照）に固着させるための図示しない接着剤の厚み分を考慮して、当該フィルタ４の搭載面１３からボス１２の上面までの相対的な距離が決定され、そして、これに基づきボス１２の高さが決定される。
【００２３】
図５は、台座３を下方から見た図である。図５のＸ−Ｘ’面の断面図が図３の断面図に相当する。
図３に示されるように、台座３の底面には、フィルタ４の搭載面１３と、ボス１２を含むガラスカバー７の搭載面２０とがある。フィルタ４の搭載面１３は、ボス１２の内側に、段差を有して設けられている。ボス１２よりも入射側に窪んで形成されており、フィルタ４の位置を規制する機能を有する。なお、台座３は、接着剤１１によって発生するガスを抜くための孔部が形成されている（図示省略）。
側壁部３ｅの内面には、１面当たり２個の突起部２５が形成されている。この突起部２５はガラスカバー７の側端面に接触して内面から離間させると同時に、光軸と垂直方向の正確な位置決めを行う機能を有する。そして、内面の突起部２５以外の箇所は突起部２５より凹んで、凹部２６を形成している。
【００２４】
ここで、本実施の形態にかかるカメラモジュール１の製造方法を説明する。
センサ５の搭載されたガラスカバー７を、裏面に補強板１０が接着されたフレキシブル基板６に、半田バンプ９によって接続する。
また、台座３にレンズユニット２を装着し、フィルタ４を図示しない接着剤により接着する。
次に、台座３の側壁部３ｅの下端面に接着剤１１を塗布して、フレキシブル基板６と台座３とを接着する。このとき、上述したように、側壁部３ｅの下端面とフレキシブル基板６の間のギャップ１５を有色の接着剤１１で埋めて接着するので、遮光できる。
【００２５】
側壁部３ｅの下端面（接着面）への接着剤１１の塗布は、所定の厚みに調整した接着剤１１の層に、台座３の側壁部３ｅを浸すことで塗布を行う。図６に、側壁部３ｅに接着剤１１を塗布したときの断面図を示す。この塗布の方法では、図６に示すように、接着剤１１は側壁部３ｅの下端面（図６の符号１７）だけでなく側壁部３ｅの側面（図６の符号１６）にもはみ出す。
発明者が試作モデルで接着剤１１の付着状態を測定したところ、０．３ｍｍ厚に調整した接着剤で台座３では側壁部３ｅの下端面側１７で最大０．３ｍｍ、側面側１６で最大０．２４ｍｍとなった。
台座３の側壁部３ｅとガラスカバー７の側端面のギャップ１４に対し、接着剤１１の側壁部３ｅ側面へのはみ出し量１６のほうが大きいため、台座３をガラスカバー７に搭載するとき、接着剤１１の一部がガラスカバー７に乗り上げる。
【００２６】
図５に戻って、側壁部３ｅの突起部２５とガラスカバー７との離間距離は寸法公差の最大値に設定してある。即ち、突起部２５が最大に出張って内部の領域がもっとも狭くなり、且つ、ガラスカバー７が最大に製作されたときでも、側壁部３ｅが形成する領域内にガラスカバー７が丁度入ることができる大きさに設定されている。
また、突起部２５は、台座３の内底（ガラスカバー７の搭載面）２０から立ち上がって（より正しくは、後述する凹部２１の底面から立ち上がって）、最大でガラスカバー７の厚さの半分の高さまで接触している。そして、それよりも上の高さの部分はテーパを形成している。これにより、上述した接着剤１１のはみ出しによるガラスカバー７への乗り上げ量を減らすことができる。
更に、接着剤１１のガラスカバー７に乗り上げた量を吸収するために、本実施の形態では、台座３に凹部２１を側壁部３ｅに沿って設けた。このとき、凹部２１はボス１２から離間している。側壁部３ｅに突起部２５が設けられているので、台座３に設けた凹部２１の幅を更に広げることが可能となる。
【００２７】
図７に、台座３の側壁部３ｅの下端面に接着剤１１を塗布したときのコーナー部（角部）での接着剤塗布の状態を示す。図７（ａ）は従来の塗布状態を示し、図７（ｂ）は、コーナー部に切り欠き１８を設けたときの塗布の状態を示す。図７において、接着剤１１のはみ出し状態を斜線で示す。図７（ａ）に示すように、台座３の側壁部３ｅのコーナー部では表面張力によりはみ出し幅（Ｒ部の半径）が大きくなる。コーナー部の接着剤１１の付き方は直角が理想であるが、発明者が測定したところ、本カメラモジュール１では約Ｒ０．５ｍｍであった。対策として、台座３の側壁部３ｅのコーナー部に切り欠き１８を設けた（図７（ｂ）参照）。ここで、切り欠き１８は、側壁部３ｅの下端面の面積を減じるように側壁部３ｅの角部における内面の側に形成された窪みである。本カメラモジュール１では、切り欠き幅０．３ｍｍの切り欠き１８によって、表面張力による接着剤１１のはみ出し量を約Ｒ０．１ｍｍに軽減できた。切り欠き形状は三角形や四角形であっても円形であっても構わない。
また、更に台座３の側壁部３ｅのコーナー部の接着剤対策として、台座３の凹部２１に角の領域（Ｃ面）２２を設けた。即ち、角の領域２２を設けることで、角の領域２２の凹部２１の溝幅を他の部分の凹部２１の溝幅よりも広く形成した。これにより、表面張力により内側によりはみ出した接着剤１１を吸収できた。尚、この例では、本カメラモジュール１の角の領域２２はＣ０．２ｍｍであるが、形状はＲ面でも四角でも構わない。
【００２８】
図５に戻って、更に、台座３とフレキシブル基板６との間の接着において、接着剤１１のはみ出し対策として、台座３の側壁部３ｅに肉薄領域である切り欠き２８を設けた。即ち、側壁部３ｅの下端面の一部を肉薄に形成した。これにより、台座３の内部のみならず外部へのはみ出しを抑えることも可能とした。台座３の側壁部３ｅの下端面の切り欠き２８の配置は、内側でも、外側でも、両側に並行して配置しても、交互に配置しても構わない。また、切り欠き２８の形状はＲ面でも三角や四角でも構わない。
【００２９】
上記実施の形態では、レンズ２ｂの間に通過光量を制限する絞り機能のための中間環２ｅを設け、それとは別に赤外波長領域の迷光を遮断する目的でフィルタ４をセンサ５の上部に配置していた。しかしながら、必ずしもこれに限定されるものではない。中間環２ｅの位置に、中間環２ｅと赤外波長領域の光を遮断する赤外カットフィルタを一体にしたものを、２枚のレンズ２ｂの間に実装してもよい。一体化されたものは異種材料で構成されていても同一材料で構成されていてもよい。これにより、台座３へのフィルタ４の接着が不要となり、作業の簡略化と歩留まり改善になる。また、フィルタ４を接着する必要がなくなるので、薄型化がより実現される。
また、上記実施の形態では、レンズ２ｂを保持するバレル２ａが台座３の円筒部３ａに羅合して取り付けられることで、レンズ２ｂが台座３に間接的に保持されていた。しかしながら、必ずしもこれに限定されるものではない。焦点精度が確保できるのであれば、台座３がレンズ２ｂを直接に保持するようにしてもよい。例えば、絞りを絞ったり、広角レンズを採用したりすることで、被写界深度を深くできれば、焦点精度の確保が容易となる。
更に、上記実施の形態では、台座３に形成された複数のボス１２にガラスカバー７が搭載されていた。しかしながら、必ずしもこれに限定されるものではない。ガラスカバー７が台座３に直接搭載されるようにしてもよい。ガラスカバー７に乗り上げる接着剤１１の量が少ないときは、凹部２１に入り込むからである。
【００３０】
ここで、例えば、本実施の形態にかかるカメラモジュール１はカメラモジュールにかかる発明（本発明）のカメラモジュールを、レンズユニット２は本発明にかかるレンズを構成する。また、中間環２ｅは本発明にかかる中間環を、台座３は本発明にかかる台座マウントを構成する。更に、側壁部３ｅは本発明にかかる側壁部を、センサ５は本発明にかかる撮像素子を構成する。更にまた、フレキシブル基板６は本発明にかかる基板を、ガラスカバー７は本発明にかかるカバー部材を構成する。更にまた、接着剤１１は本発明にかかる接着剤を、切り欠き１８は本発明にかかる窪み及び退避手段を構成する。更にまた、凹部２１は本発明にかかる凹部及び退避手段を、角の領域２２は本発明にかかる角の領域及び退避手段を、切り欠き２８は本発明にかかる肉薄領域及び退避手段をそれぞれ構成する。
【００３１】
このように、本実施の形態にかかるカメラモジュール１は、入射光を電気信号に変換して出力するするセンサ５と、センサ５への光を入射光として透過するガラスカバー７と、センサ５及びガラスカバー７を保持し、センサ５が出力する電気信号が入力されるフレキシブル基板６と、入射光をセンサ５に集光するレンズユニット２と、レンズユニット２を保持し、側壁部３ｅの下端面が接着剤１１によりフレキシブル基板６に接着された台座３とを含み、台座３の側壁部３ｅは、接着剤１１を退避させる退避手段を備えている。よって、側壁部３ｅにおける接着剤１１のはみ出しに起因するガラスカバー７への付着量を軽減でき、撮像エリアへの浸み出しをなくし、カメラモジュール１の製作時の接着剤１１のはみ出しに起因する撮像エリア内への接着剤１１の侵入を防いで製造時の不良を低減できるカメラモジュール１を提供できる。
【００３２】
また、本実施の形態にかかるカメラモジュール１では、台座３は、ガラスカバー７が対向する面に側壁部３ｅに沿って形成された、角の領域２２を含む凹部２１を有し、角の領域２２にはＣ面が設けられ、その溝幅は角の領域２２以外の領域の溝幅よりも広く形成されている。よって、側壁部３ｅの下端面における接着剤１１のはみ出しに起因してカバーガラスへ付着した接着剤１１は、凹部２１へ入り込み撮像エリアへ浸み出さなくなる。特に、表面張力により内側によりはみ出した接着剤１１を吸収できる。
更に、本実施の形態にかかるカメラモジュール１では、側壁部３ｅの角部には、側壁部３ｅの下端面の面積を減じるように角部の内面の側に切り欠き１８が形成されている。よって、側壁部３ｅのコーナー部における表面張力による接着剤１１のはみ出しを軽減でき、カバーガラスへ付着する接着剤１１の量を少なくできる。
更にまた、本実施の形態にかかるカメラモジュール１では、側壁部３ｅは、フレキシブル基板６と接着する下端面の一部に肉薄の領域（切り欠き）２８が形成されている。よって、台座３の内部だけでなく外部への接着剤１１のはみ出しを抑えることができる。
【００３３】
このように、本実施の形態にかかるカメラモジュール１は、入射光を電気信号に変換して出力するするセンサ５と、センサ５への光を入射光として透過するガラスカバー７と、センサ５及びガラスカバー７を保持し、センサ５が出力する電気信号が入力されるフレキシブル基板６と、入射光をセンサ５に集光するレンズユニット２と、レンズユニット２を保持し、側壁部３ｅの下端面がフレキシブル基板６に取り付けられた台座３とを含み、台座３におけるガラスカバー７に当接する面は、側壁部３ｅから離間して形成されている。よって、当接する面の面精度をより確実に出せる。また、例えば、台座３の側壁部３ｅの下端面をフレキシブル基板６に接着剤１１を用いて接着して取り付けるとき、接着剤１１のはみ出しに起因するガラスカバー７への付着量を軽減できる。
また、本実施の形態にかかるカメラモジュール１では、赤外波長領域の光を遮断し、且つ、通過光量を制限する中間環２ｅを更に含み、レンズ２ｂを２枚含み、中間環２ｅは、レンズユニット２の複数のレンズ２ｂ間に保持されている。よって、フィルタ４の接着作業がなくなり、作業の簡略化と歩留改善になる。また、フィルタ４を接着する必要がなくなるので、薄型化がより実現される。
【００３４】
本実施の形態にかかるカメラモジュール１では、ガラスカバー７の側端面と接触して内面から離間させる突起部２５が形成されている。よって、ガラスカバー７は側壁部３ｅのいずれの内面からも離して配置されることができると同時に、光軸と垂直方向の正確な位置決めを行うことができる。これにより、側壁部３ｅの下端面における接着剤１１のはみ出しに起因するガラスカバー７への付着量を軽減できる。また、カメラモジュール１の製作時にガラスカバー７の取り付け作業が容易になる。更に、取り付けた後、ガラスカバー７に不要なストレスがかかることが軽減される。
また、本実施の形態にかかるカメラモジュール１は、ガラスカバー７の搭載面２０にガラスカバー７に当接するボス１２が設けられ、ボス１２は凹部２１から離間して形成されている。よって、接着剤１１を退避させる凹部２１の容量が制限されることはない。
【００３５】
（撮像装置）
続いて、本実施の形態のカメラモジュール１を搭載した撮像装置の一例としての携帯電話機１００について説明する。なお、本実施の形態のカメラモジュール１は、携帯電話機１００のほかに、例えば、パーソナルコンピュータやＰＤＡ（Personal Digital Assistant）に搭載されるカメラ、自動車に搭載されるカメラ又は監視カメラ等にも適用することが可能である。
【００３６】
図８は、携帯電話機１００の構成を示したブロック図である。図８に示すように、携帯電話機１００は、カメラモジュール１からの画像信号に対して画像処理を行う信号処理部の一例としての画像処理プロセッサ（ＩＳＰ）１０１と、携帯電話機１００における各種制御を行うＭＰＵ（Micro Processing Unit）１０２と、このＭＰＵ１０２にユーザからの指示を与えるための入力キー１０３とを備えている。また、携帯電話機１００は、カメラモジュール１により撮影された被写体を映し出す液晶ディスプレイ（ＬＣＤ）１０４を備えている。また、携帯電話機１００は、携帯電話機１００を制御するための各種情報等を記憶するメモリ１０５と、画像データを記録するメモリカード１０６とを備えている。
さらに、携帯電話機１００は、アンテナ１０７を介して例えば携帯電話帯の電波を受信して、携帯電話事業者等が提供するサーバと無線通信を行うＲＦ（Radio Frequency）部１０８と、通信をするための信号を生成するベースバンド部１０９と、通話時の音声や着信メロディ等の音を再生するオーディオコーデック部１１２と、オーディオコーデック部１１２からの信号に基づき着信鳴動音を出力するためのスピーカ１１０と、着信を光により通知するためＬＥＤ１１１とを備えている。
【００３７】
また、カメラモジュール１は、例えばＩＩＣやＳＰＩ等のインターフェースによってＭＰＵ１０２との通信が行われて信号が送受信される。
携帯電話機１００では、入力キー１０３においてデジタルカメラ使用モードが選択されると、ＭＰＵ１０２はカメラモジュール１との通信を開始する。そして、ＭＰＵ１０２はカメラモジュール１に制御信号を送信する。すると、カメラモジュール１のレンズユニット２を透過した被写体からの光は、カメラモジュール１のセンサ５によって電気信号に変換され、ＩＳＰ１０１で信号処理が施される。ＩＳＰ１０１で信号処理された画像信号は、携帯電話機１００のメモリ１０５に一時的に保存され、ＬＣＤ１０４にスルー画として表示される。
【００３８】
ところで、被写体の撮影は、入力キー１０３にあるシャッタボタンで行われる。シャッタボタンを押すと、ＭＰＵ１０２は、ＩＳＰ１０１で処理された画像データをメモリ１０５に保存する。ＭＰＵ１０２には、ＪＰＥＧやＭＰＥＧ等の手法による圧縮解凍回路が含まれており、メモリ１０５に保存された画像データは、ＭＰＵ１０２により圧縮処理されてメモリカード１０６に記録される。また、メモリカード１０６に記録された画像データをＭＰＵ１０２によって解凍してメモリ１０５に読み込み、ＬＣＤ１０４に再度表示させることも可能である。
なお、ＭＰＵ１０２では、入力キー１０３からの操作により、撮影モードの選択やホワイトバランスや露出、感度等の設定が可能である。また、ＩＳＰ１０１で処理された画像データをメモリ１０５に保存する際に、デジタルズーム処理を行うことも可能である。
【００３９】
ここで、例えば、本実施の形態にかかる携帯電話機１００は撮像装置にかかる発明（本発明）の撮像装置を、ＩＳＰ１０１は本発明にかかる信号処理部を構成する。また、レンズユニット２は本発明にかかるレンズを、台座３は本発明にかかる台座マウントを構成する。更に、側壁部３ｅは本発明にかかる側壁部を、センサ５は本発明にかかる撮像素子を構成する。更にまた、フレキシブル基板６は本発明にかかる基板を、ガラスカバー７は本発明にかかるカバー部材を構成する。更にまた、接着剤１１は本発明にかかる接着剤を、カメラモジュール１は本発明にかかるカメラモジュールを構成する。
【００４０】
このように、本実施の形態にかかる携帯電話機１００は、入射光を電気信号に変換して出力するセンサ５と、センサ５への光を入射光として透過するガラスカバー７と、センサ５及びガラスカバー７を保持し、センサ５が出力する電気信号が入力されるフレキシブル基板６と、入射光を撮像素子に集光させるレンズユニット２と、レンズユニット２を保持し、側壁部３ｅがフレキシブル基板６に取り付けられ、側壁部３ｅに沿って凹部２１が形成された台座３とを含む。よって、取り付け作業が容易となり、取り付け後もガラスカバー７に加わる不要なストレスを軽減することができる。また、例えば、台座３とフレキシブル基板６とを接着剤１１で接着して取り付けるとき、側壁部３ｅの下端面における接着剤１１のはみ出しに起因するガラスカバー７への付着量を軽減でき、撮像エリアへの浸み出しをなくし、カメラモジュール１の製作時の接着剤１１のはみ出しに起因する撮像エリア内への接着剤１１の侵入を防いで製造時の不良を低減できる携帯電話機１００を提供できる。
【図面の簡単な説明】
【００４１】
【図１】本実施の形態にかかるカメラモジュールの外観斜視図である。
【図２】図１に示すカメラモジュールの分解斜観図である。
【図３】図１に示すカメラモジュールの縦断面図である。
【図４】図３に示すＰ部の拡大断面図である。
【図５】図１に示すカメラモジュールの台座を下から見た斜視図である。
【図６】図１に示すカメラモジュールの側壁部に接着剤を塗布したときの状態を示す断面図である。
【図７】図１に示すカメラモジュールの側壁部のコーナー部での接着剤塗布の状態を示す図である。
【図８】本実施の形態にかかる携帯電話機の構成を示したブロック図である。
【符号の説明】
【００４２】
１…カメラモジュール（カメラモジュール）、２…レンズユニット（レンズ）、２ａ…バレル、２ｂ…レンズ、２ｃ…雄ねじ、２ｄ…開口部、２ｅ…中間環、２ｆ…レンズ押さえ、３…台座（台座マウント）、３ａ…円筒部、３ｂ…矩形部、３ｃ…雌めじ、３ｄ…フランジ部、３ｅ…側壁部、４…フィルタ、５…センサ（撮像素子）、６…フレキシブル基板（基板）、６ａ…コネクタ、７…ガラスカバー（カバー部材）、８，９…半田バンプ、１０…補強板、１１…接着剤、１２…ボス、１８…切り欠き（退避手段）、２１…凹部（退避手段）、２２…角の領域（退避手段）、２８…切り欠き（肉薄領域、退避手段）、１００…携帯電話機、１０１…画像処理プロセッサ（ＩＳＰ）（信号処理部）、１０２…ＭＰＵ、１０３…入力キー、１０４…液晶ディスプレイ（ＬＣＤ）、１０５…メモリ、１０６…メモリカード、１０７…アンテナ、１０８…ＲＦ部、１０９…ベースバンド部、１１０…スピーカ、１１１…ＬＥＤ、１１２…オーディオコーデック部
【図１】
2008139593.tif 000003
【図２】
2008139593.tif 000004
【図３】
2008139593.tif 000005
【図４】
2008139593.tif 000006
【図５】
2008139593.tif 000007
【図６】
2008139593.tif 000008
【図７】
2008139593.tif 000009
【図８】
2008139593.tif 000010